(57)【要約】      （修正有）【課題】循環加熱する室内空気のホコリを除去できる空気清浄機構付ファンヒータの提供。【解決手段】循環送気を空気清浄機で濾過することで、きれいな空気にし、旦つ、ファンの回転速度を強、中、弱等複数段に変更できるよにした。【選択図】図１
2005300122.tif 000002
【特許請求の範囲】
【請求項１】
フレーム内に遠赤外線、放熱ヒータを構成し、該、ヒータが発熱する熱源に、同じくフレーム内に構成したファンにより、吸入した空気を有効に作用させ、送気加温すると共に、フレーム前面より広範囲に拡散し、室内を循環加温する構成の電熱ファンヒータにあって、フレーム背面に空気清浄機構を付帯させ、該、空気清浄機構に脱臭、集じん、脱汚れの機能をもったフィルタを内蔵し、ファンにより吸入した空気を清浄に濾過すると共に、モータにより回転させるファンを、複数段の回転速度に変更、切替運転できる構成としたことを特徴とする空気清浄機構付き電熱ファンヒータ。
【請求項２】
フレーム内に灯油タンク、保護リングを介して、燃焼網のヒータが燃焼、発熱する熱源に、同じくフレーム内に構成したファンにより、吸入した空気を有効に作用させ、送気加温すると共に、フレーム前面より広範囲に拡散し、室内を循環加温する構成の灯油ファンヒータにあって、フレーム背面に空気清浄機構を付帯させ、該、空気清浄機構に脱臭、集じん、脱汚れの機能をもったフィルタを内蔵し、ファンにより吸入した空気を清浄に濾過すると共に、モータにより回転させるファンを、複数段の回転速度に変更、切替運転できる構成としたことを特徴とする空気清浄機構付灯油ファンヒータ。
【発明の詳細な説明】
【技術分野】
【０００１】  本発明は空気清浄機構を付帯したファンヒータに関する。
【背景技術】
【０００２】  従来より使用されているファンヒータとしては、よく市場に出回っているのは灯油ファンヒータである。その構成は、ファンヒータの器具内で、燃料の灯油を気化し、空気と混合させ燃焼容易なガスと化して、これに点火させることによって、ファンヒータ器具内で空気を加熱させて、背部の空気取入口を介して、器具内に設けられたファンによって、加熱された空気を温風として、器具前面より吹出させ部屋内を、循環、加温させる構成としている。【０００３】  又、従来より使用されている電力を直接、熱に変換する赤熱した金属や、セラミック等を発熱体とする、各種ヒータを熱源に背面の反射板で、熱を前面に反射させる構成のものは、単純な部分加熱の電気ストーブと称される電気ヒータであって、これらはその輻射熱で暖房器具のすぐ前面を加温するだけの構成のものである。【０００４】  これら前者２つの構造、構成の保持している欠点を改善したもので、運転経費を低減、維持管理の安易さ、ＣＯ２ガス等の発生皆無な安全環境の構築、電力を直接、熱に変換するヒータの伝熱効率の改良構造、等大幅な改善をした電熱ファンヒータとして構成したのが、特許出願（特願２００４−１０１２６５）で、電気を熱源とした暖房器具に、ロス熱を前面に回収させるファンを有効に付帯させた構成のものを誕生させている。
【発明の開示】
【発明が解決しようとする課題】
【０００５】  以上に示した暖房器具の構成において、解決しようとする課題を説明する。
先ず燃焼燃料たる灯油を用いた、灯油ファンヒータにあっては、燃焼によって酸素（Ｏ２）を消費し、そして炭酸ガス（ＣＯ２）や、又一酸化炭素ガス（ＣＯ）も発生しやすく、又最近の課題事項として、石油を根源とする揮発性有機化合物が不完全燃焼によって発生し易く、室内の空気を著しく汚染し、健康上、大きな問題となっていて、これらを解決すべき責務を課せられる。【０００６】  次に電熱ファンヒータにあっては、上記したような燃焼による空気汚染は発生しないが、元来、汚れた空気の漂う部屋に、該、電熱ファンヒータを設置すれば、汚れた空気が循環することになる。又これらの灯油、電熱ファンヒータの送風量が大きい場合、畳やカーペットのホコリ、花粉、ペット臭、たばこ、線香、カビ、などを舞上げる恐れが発生し、循環加温のよい構成が、逆に作用し、ゼン息や花粉アレルギー、風邪を引いてノドを痛めている人達にはマイナスの問題となってくるし、この課題も解決せねばならない。【０００７】  本発明は、このような従来のファンヒータに起こりうる可能性のある課題を、循環加温の効果的な構成を充分に保持しながら、これらの弊害課題を排除することに尽力した。
【課題を解決するための手段】
【０００８】  本発明は上記課題を克服し、達成する課題解決手段の第一は、室内の空気を清浄にし、この清浄した空気を加温し、温風として室内循環させる方法をとった。すなわち、灯油、電熱の各、ファンヒータにあって、本体フレームの背部に設置したモータと、一体のファンによる空気吸入に際し、モータの背面に圧力損失、抵抗を充分に考慮した３層のフィルタにより、前記したホコリ、臭、カビ、たばこ煙等、不純物を完全に捕捉するようにした集塵機構をフレーム背部と空気清浄機構本体とで一体に構成して、不純物を完全に捕捉し、清浄になった空気を、モータに直結したファンによって吸気して、気化した灯油燃料を燃焼させる灯油ファンヒータ、若しくは、ヒータ等の熱源体の発生熱をロスを少なく、構成した電熱ファンヒータ、による各熱源で、加温した空気流体として、室内を迅速に循環し、昇温させる構成とした。【０００９】  又、第二の課題たる送風量の調節は次の手段とした。
従来の構成によるファンの送風量は、終始一定であるが、本発明に係わる構成では、空気清浄機構で運転の項目として、送風量を強、中、弱、の段階調節が可能に構成するので、ファンヒータ前面より吹出させる温風の強さも、強、中、弱、と調節できる構成にした。又、電熱、灯油ヒータを使用しない冬期以外の季節には、ヒータを停止し、ファンと空気清浄機構のみの運転に切替えることができる構成で使用することができる。
【発明の効果】
【００１０】  上述したように、本発明構成は、図１より図５に示すが、発明の効果は次のとおりである。
空気清浄機構を付帯させた、ファンヒータであるので、循環加温する室内空気は、ホコリを除去した消臭効果も絶大な空気流体を確保できる。
室内に設置する使用条件により、送風量を自由に選択できる。
３層のフィルタを、ファンモータの吸入前に構成しているので、消音効果が大きい、又、季節を問わず、何時でも空気清浄機構は使用できるものである。
【発明を実施するための最良の形態】
【００１１】  本発明の実施形態を図１より図５に基づいて説明する。
【実施例】
【００１２】  図１及び図２、図３、において１は前フレーム、２は後フレームで、３は鏡面反射板で、４にクロームメッキ等の鏡面加工を施す。５は鏡面反射板の側板、６は遠赤外線、放熱ヒータで棒状を示す。７、７’は吹出孔、９はモータで２後フレームの背面に取付ける。１０はファン、１１はバックパネルでフィルタを押付け保持する。１３は微細集塵フィルタ、１４は脱臭フィルタ、１５はゴミフィルタで、１６は空気清浄機運転切替スイッチ、１７は制御器で、１８は運転表示部、１９はクラスタイオンランプ、２０は電熱ファンヒータ運転盤である。【００１３】  図４及び図５にあって、１はフレーム、２０は灯油ファンヒータ運転盤、２２は灯油タンク、２３は保護リング、２４は燃焼網で炎を確認する。２７はファンヒータ制御器、２８は温風吹出口である。尚、１１バックパネルから１９，クライスタイオンランプに至る一連の空気清浄機構は、上述の図１の説明と同一である。【００１４】  以下に上記構成の作動を説明する。
図１、図２において、１６空気清浄機運転切替スイッチを押せば、１８運転表示部は自動運転ランプが点灯し、同時に、１９クライスタイオンランプも点灯し、空気の汚れを青と緑で表示する。（汚れている時は青点灯。）この１６の切替えスイッチを押すことで、９のモータは中運転で起動し、１０ファンにより矢印の如く外気を吸気し、吹出孔７、７’より吐出する。１６、切換スイッチの切、入を反復することによって、９、モータの回転は中、強、弱、と切換運転ができて、吹出孔７、７’より吹出す風量を、暖房する室内状態に対応して、足もとが寒い時は、強に、又顔が熱くなりすぎたりした時は、弱に、セットし運転する。１８、運転表示部はその他、脱臭フィルタの洗浄表示や、空気の汚れを感知し表示するアラームセンサを内蔵している。このように吸入空気を最大限に清浄化する装備を通過して、１０ファンで通風させ、７、７’吹出孔より吹出す構成にしている。２０の電熱ファンヒータ運転盤は、切換ボタンスイッチを押すことによって、室内温度が１３℃になる迄は、６の遠赤外線、放熱ヒータは３本で運転し、１３℃に温度が上昇すると、放熱ヒータは２本に、更に１８℃に温度上昇すれば、放熱ヒータは１本になって運転させ、２３℃に室内温度が上昇すれば全放熱ヒータが消灯する構成にしている。又、室温が低下したときの放熱ヒータの点灯は上記の逆に作動する。室温表示は自動表示し、運転温度設定は押釦と、デジタル数値で選定する。【００１５】  図４、及び図５において、図４に示す空気清浄機構の構成と作動は、上述した図１の説明と同一であるから、ここでは省略する。又、１フレームに内蔵する２２灯油タンク、２３保護リング、２４燃焼網、２８温風吹出口、２０灯油ファンヒータ運転盤等の構成と作動は現市場品と同一である。然るに現市場品の灯油ファンヒータの最大の欠点は、ファンによって吹出す温風は、何ら浄化されずに循環するので、燃焼による空気の汚れや、微細なゴミ、臭等はその儘、循環し、健康上、極めて不衛生である。その上ファンの回転は一定で、強、中、弱の切替がないので、使用方法によっては微細なゴミが舞い上がる欠点もある。本発明は、空気清浄機構付帯、灯油ファンヒータとしても、清浄に浄化した空気の循環加温と合せて、ファンの送風量を強、中、弱に切替を可能とした運転方法にしている。【００１６】  以上の如く、本発明はファンヒータの内蔵ファンの運転方法と、空気清浄機構をうまく付帯させ、効果的なファンヒータを現出させているが、更に本発明は、冬期以外の季節ではヒータの運転を停止し、ファンと空気清浄機構のみ運転することができる。従って本発明品は一年中室内に設置することができ、取片づけする必要はない。
【産業上の利用可能性】
【００１７】  電熱ファンヒータにあって、熱源体である放熱ヒータに直接に、ファンの空気を通過させる構造にあっても、本発明の空気清浄機構及び運転の強、中、弱の回転切替の構成、作動は適用されるものである。
【図面の簡単な説明】
【００１８】［図１］本発明の実施形態を示す空気清浄機構付電熱ファンヒータ縦断面図。
［図２］同空気清浄機構付電熱ファンヒータの正面図。
［図３］同空気清浄機構付電熱ファンヒータの背面立体図。
［図４］同空気清浄機構付灯油ファンヒータの縦断面図。
［図５］同空気清浄機構付灯油ファンヒータの正面図。
【符号の説明】
【００１９】１前フレーム及びフレーム
２後フレーム
３鏡面反射板
４鏡面加工部
５鏡面反射板の側板
６遠赤外線放熱ヒータ
７吹出孔
９モータ
１０ファン
１１バックパネル
１３微細集塵フィルタ
１４脱臭フィルタ
１５ゴミフィルタ
１６空気清浄機運転切換スイッチ
１７制御器
１８運転表示部
１９クライスタイオンランプ
２０電熱又は灯油ファンヒータ運転盤
２２灯油タンク
２３保護リング
２４燃焼網
２７ファンヒータ制御器
２８温風吹出口
【図１】
2005300122.tif 000003
【図２】
2005300122.tif 000004
【図３】
2005300122.tif 000005
【図４】
2005300122.tif 000006
【図５】
2005300122.tif 000007